(57)【要約】【課題】器具本体と反射板との取付作業が容易で反射板の角度調整も精度よく行える照明器具を提供することである。【解決手段】器具本体１１は両端及び前面に開口を有し細長に形成され、器具本体１１の前面開口部に直管形蛍光灯１２が装着される。器具本体１１の前面開口部には直管形蛍光灯１２の光を反射する反射板１３が設けられ、器具本体１１の両端開口部には側板１４が設けられる。略Ｕ字溝１６は側板１４に形成され、反射板１３の両端から突出して設けられた取付ネジ１７を、側板１４の下方より挿入可能とした挿入端１８から取付ネジ１７を係止して保持する係止端１９までが略Ｕ字状に形成されている。化粧ナット１５は、略Ｕ字溝１６の係止端１９で保持された取付ネジ１７に螺着して反射板１３を側板１４に固定する。【選択図】  図１
2008300230.tif 000002
【特許請求の範囲】
【請求項１】
両端及び前面に開口を有し細長に形成され前面開口部に直管形蛍光灯が装着される器具本体と；
前記器具本体の前面開口部に設けられ前記直管形蛍光灯の光を反射する反射板と；
前記器具本体の両端開口部に設けられた側板と；
前記反射板の両端から突出して設けられた取付ネジと；
前記側板の下方より前記取付ネジを挿入可能とした挿入端から前記取付ネジを係止して保持する係止端までが略Ｕ字状に形成された略Ｕ字溝と；
前記略Ｕ字溝の係止端で保持された前記取付ネジに螺着して前記反射板を前記側板に固定する化粧ナットと；
を備えたことを特徴とする照明器具。
【請求項２】
前記略Ｕ字溝の係止端に、前記取付ネジに嵌合する嵌合部を設けたことを特徴とする請求項１記載の照明器具。
【発明の詳細な説明】
【技術分野】
【０００１】
本発明は、壁面などを照明する照明器具に関する。
【背景技術】
【０００２】
壁面などを照明する照明器具としては、例えば、天井に直付けされる黒板用の照明器具がある。このような黒板用の照明器具においては、天井に直管形蛍光灯を装着した器具本体を取り付け、器具本体に装着された直管形蛍光灯の光を反射する反射板を設け、反射板の角度を調節することによって直管形蛍光灯の光を黒板に向けて出射するようにしている。反射板の角度の調節は、器具本体の側板と反射板との双方に穴を設け、それらの穴に化粧ねじを通して螺合し、反射板の角度を調節できるようにしている。
【０００３】
ここで、壁面などを照明する照明器具として、器具本体の高さを高くすることなく、しかも反射板を大きい範囲で回動調節を可能としたものがある（例えば、特許文献１参照）。
【特許文献１】特公昭６２−３５２１号公報
【発明の開示】
【発明が解決しようとする課題】
【０００４】
しかし、特許文献１のものでは、器具本体の側板と反射板との双方の穴に化粧ねじを通して螺合し、反射板の角度を調節しなければならないので、反射板の器具本体への取り付けや反射板の角度の調節は困難な作業となる。
【０００５】
直管形蛍光灯を装着した器具本体は細長な形状であり、反射板の器具本体への取り付け位置は、細長の器具本体の両端部であるので、反射板の中央部を片手で持ち、もう一方の手で細長の器具本体の両端部の側板と反射板との双方の穴に化粧ねじを通して螺合するという作業となる。しかも、反射板の取り付けだけでなく、その反射板の角度調整も行わなければならない。
【０００６】
本発明の目的は、器具本体と反射板との取付作業が容易で反射板の角度調整も精度よく行える照明器具を提供することである。
【課題を解決するための手段】
【０００７】
請求項１の発明に係わる照明器具は、両端及び前面に開口を有し細長に形成され前面開口部に直管形蛍光灯が装着される器具本体と；前記器具本体の前面開口部に設けられ前記直管形蛍光灯の光を反射する反射板と；前記器具本体の両端開口部に設けられた側板と；前記反射板の両端から突出して設けられた取付ネジと；前記側板の下方より前記取付ネジを挿入可能とした挿入端から前記取付ネジを係止して保持する係止端までが略Ｕ字状に形成された略Ｕ字溝と；前記略Ｕ字溝の係止端で保持された前記取付ネジに螺着して前記反射板を前記側板に固定する化粧ナットと；を備えたことを特徴とする。
【０００８】
本発明及び以下の発明において、特に指定しない限り用語の定義及び技術的意味は以下による。
【０００９】
器具本体は、両端及び前面に開口を有し細長に形成される。そして、前面開口部が下方を向くように、例えば天井面に取り付けられ、前面開口部に直管形蛍光灯を装着するとともに、装着された直管形蛍光灯を点灯するための安定器を内蔵する。
【００１０】
反射板は、器具本体の前面開口部に対応して細長に形成され、内面で直管形蛍光灯の光を反射し、取付角度が調整されて照射対象の壁面に反射光を出射する。反射板の両端には、両端から突出して取付ネジが反射板と一体的に設けられる。
【００１１】
器具本体の両端開口部の側板には、反射板の取付ネジを保持する略Ｕ字溝が設けられる。略Ｕ字溝は側板に設けられた略Ｕ字状の溝である。挿入端とは、側板の下方より取付ネジが挿入可能となるように切り欠かれた略Ｕ字状の一方端であり、係止端とは、挿入された取付ネジが略Ｕ字状の溝に案内されて行き止まりとなる略Ｕ字状の他方端である。これにより、取付ネジは略Ｕ字溝の係止端で係止して保持される。化粧ナットは、略Ｕ字溝の係止端で保持された取付ネジに螺着して反射板を前記側板に固定する。
【００１２】
請求項２の発明に係わる照明器具は、請求項１の発明において、前記略Ｕ字溝の係止端に、前記取付ネジに嵌合する嵌合部を設けたことを特徴とする請求項１記載の照明器具。
【００１３】
嵌合部とは、略Ｕ字溝の係止端に設けられ、取付ネジの外径とほぼ同じ大きさの係止部であり、取付ネジは略Ｕ字溝の係止端の嵌合部に嵌合して係止する。これにより、取付ネジの略Ｕ字溝での係止が確実となる。
【発明の効果】
【００１４】
請求項１の発明によれば、略Ｕ字溝の挿入端より反射板の取付ネジを挿入して係止端まで導くことができ、取付ネジが係止端で係止している状態では、手で反射板を持っていなくても反射板は略Ｕ字溝の係止端で保持されている。そして、
この状態で、反射板の角度調整を行い化粧ナットで取付ネジと螺合して反射板を器具本体の側板に固定するので、反射板の器具本体への取付作業が容易に行え、しかも角度調整も精度よく行える。これにより反射板の器具本体への施工性が向上する。
【００１５】
請求項２の発明によれば、請求項１の発明の効果に加え、取付ネジの略Ｕ字溝での係止が確実となるので、器具本体への反射板の取り付けを精度よく行え、反射板の角度調整も精度よく行える。
【発明を実施するための最良の形態】
【００１６】
図１は本発明の実施の形態に係わる照明器具の斜視図である。器具本体１１は細長に形成され前面に開口を有している。この前面開口部に直管形蛍光灯１２が位置し、直管形蛍光灯１２の光を反射する反射板１３が器具本体１１の前面開口部に設けられる。器具本体１１の両端にも開口を有し、この両端開口部には側板１４がそれぞれ取り付けられている。
【００１７】
そして、後述するように、側板１４には略Ｕ字溝が設けられ、反射板１３の両端から突出して設けられた取付ネジ１７が略Ｕ字溝１６に挿入されて保持され、化粧ナット１５は、側板１４の略Ｕ字溝に保持された取付ネジ１７に螺着して、反射板１３を側板１４に固定するようにしている。
【００１８】
図２は器具本体１１の両端開口部に設けられる側板１４の斜視図、図３は反射板１３の端部の斜視図である。図２に示すように、側板１４には略Ｕ字溝１６が設けられており、一方、図３に示すように、反射板１３の端部には、そこから突出して取付ネジ１７が設けられている。
【００１９】
図４は側板１４の略Ｕ字溝１６の一例を示す平面図である。略Ｕ字溝１６は挿入端１８と係止端１９とを有し、挿入端１８は側板１４の下方で開口しており、側板１４の下方より反射板１３の取付ネジ１７が挿入可能となっている。一方、係止端１９は側板１４の下方向きの位置で行き止まりとなっており、反射板１３の取付ネジ１７を係止して保持することが可能となっている。
【００２０】
作業者が反射板１３を器具本体１１の側板１４に取り付けるにあたっては、反射板１３の中央部を手に持ち、この開口している挿入端１８より反射板１３の取付ネジ１７を略Ｕ字溝１６に挿入する。この状態で反射板１３から手を離すと反射板１３は下方に落ちるが、取付ネジ１７を略Ｕ字溝１６の略Ｕ字状の溝に沿って係止端１９まで案内すると、係止端１９は側板１４の下方向きの位置で行き止まりとなっているので、反射板１３の取付ネジ１７は係止端１９で係止し保持される。つまり、反射板１３から手を離しても、反射板１３の自重で取付ネジ１７が係止端１９で係止し保持される。従って、作業者は反射板１３を手に持って保持する必要がなくなる。
【００２１】
この状態で、反射板１３を取付ネジ１７を中心にして係止端１９で回動し、反射板１３の角度を調節する。そして、角度調整した後に化粧ナット１５で取付ネジ１７を固定する。なお、角度調整の際には、化粧ナット１５で取付ネジ１７を仮止めしておき、角度調整が完了した後に化粧ナット１５を本締めするようにしてもよい。
【００２２】
図５は側板１４の略Ｕ字溝１６の他の一例を示す平面図である。この一例は、図４に示したものに対し、略Ｕ字溝１６の係止端１９に、取付ネジ１７に嵌合する嵌合部２０を設けたものである。
【００２３】
図５に示すように、嵌合部２０として円形状の段差が設けられ、取付ネジ１７はこの嵌合部２０に勘合する構造となっている。嵌合部２０の円形状の段差は、取付ネジ１７の外径とほぼ同じ大きさに形成されており、取付ネジ１７は、この略Ｕ字溝１６の係止端１９の嵌合部２０に嵌合して係止する。これにより、取付ネジ１７の略Ｕ字溝１６での係止がより確実となる。
【００２４】
本発明の実施の形態によれば、器具本体１１の側板１４に下方より取付ネジ１７が挿入できる略Ｕ字溝１６を設け、他方の端部に係止端１９を設けて、挿入した取付ネジ１７を係止して保持するので、反射板１３の器具本体１１への仮配置が可能となり、その後に、化粧ナット１５で本締めできるので、反射板１３の角度調整が容易にしかも精度よく行え作業性が向上する。
【図面の簡単な説明】
【００２５】
【図１】本発明の実施の形態に係わる照明器具の斜視図。
【図２】本発明の実施の形態における器具本体の両端開口部に設けられる側板の斜視図。
【図３】本発明の実施の形態における反射板の端部の斜視図。
【図４】本発明の実施の形態における側板の略Ｕ字溝の一例を示す平面図。
【図５】本発明の実施の形態における側板の略Ｕ字溝の他の一例を示す平面図。
【符号の説明】
【００２６】
１１…器具本体、１２…直管形蛍光灯、１３…反射板、１４…側板、１５…化粧ナット、１６…略Ｕ字溝、１７…取付ネジ、１８…挿入端、１９…係止端、２０…嵌合部
【図１】
2008300230.tif 000003
【図２】
2008300230.tif 000004
【図３】
2008300230.tif 000005
【図４】
2008300230.tif 000006
【図５】
2008300230.tif 000007